(57)【要約】      （修正有）【課題】軽量で持ち運びが可能、かつ低コストであり、放射線被害から避難弱者を有効に保護する放射線遮蔽段ボールシェルターを提供する。【解決手段】波形の断面形状を有する紙製の中芯９および平らな板状の紙であるライナー８、１２からなる紙の構造に、基材１０と金属粉が配合されたコーティング膜２０とを含む波形断面の放射線遮蔽シート構造物３１が接着され、その外側にさらに紙製のライナー１４（または、第２の紙の構造物）が接着され、紙素材の間に金属粉を含む放射線遮蔽構造物が挟まれた構造をもつ。【選択図】図２
0003206557.tif 000002
【実用新案登録請求の範囲】
【請求項１】
直線状に延びる山と谷が交互に繰り返される、波形の断面形状を有する紙製の中芯と、前記中芯の片側または両側に接着された、平らな板状の紙である第１のライナーと、を有する紙の構造物と、
前記中芯の片側に接着された前記第１のライナー、または前記中芯の両側に接着された前記第１のライナーのうちの一方の、前記中芯が接着されている面とは反対の側の面に接着された放射線遮蔽シート構造物と、
前記放射線遮蔽シート構造物の、前記紙の構造物とは反対の側に接着された、平らな板状の紙である第２のライナーと、
を有し、
前記放射線遮蔽シート構造物は、放射線遮蔽シートがｎ枚（ｎは１を含む自然数）積層された構造を有し、
前記放射線遮蔽シートは、
基材と、
前記基材の表面に設けられ、かつ金属粉が配合されてなる、放射線の遮蔽効果をもつコーティング膜と、
を有すると共に、
前記基材および前記コーティング膜が、前記中芯の山と谷が延びる方向と同じ方向に直線状に延びる山ひだと谷ひだが交互に繰り返される、波形の断面形状を有する放射線遮蔽段ボール。
【請求項２】
直線状に延びる山と谷が交互に繰り返される、波形の断面形状を有する紙製の第１の中芯と、前記第１の中芯の片側または両側に接着された、平らな板状の紙である第１のライナーと、を有する第１の紙の構造物と、
前記第１の中芯の片側に接着された前記第１のライナー、または前記第１の中芯の両側に接着された前記第１のライナーのうちの一方の、前記第１の中芯が接着されている面とは反対の側の面に接着された放射線遮蔽シート構造物と、
前記第１の中芯の山と谷が延びる方向と同じ方向に直線状に延びる山と谷が交互に繰り返される、波形の断面形状を有する紙製の第２の中芯と、前記第２の中芯の片側または両側に接着された、平らな板状の紙である第２のライナーと、を有し、かつ、前記第２の中芯の片側に接着された前記第２のライナー、または前記第２の中芯の両側に接着された前記第２のライナーのうちの一方の、前記第２の中芯が接着されている面とは反対の側の面が、前記放射線遮蔽シート構造物の、前記第１の紙の構造物とは反対の側に接着された第２の紙の構造物と、
を備え、前記放射線遮蔽シート構造物が、前記第１、第２の紙の構造物に挟まれた構造を有し、
前記放射線遮蔽シート構造物は、放射線遮蔽シートがｎ枚（ｎは１を含む自然数）積層された構造を有し、
前記放射線遮蔽シートは、
基材と、
前記基材の表面に設けられ、かつ金属粉が配合されてなる、放射線を遮蔽する効果をもつコーティング膜と、
を有すると共に、
前記基材および前記コーティング膜が、前記第１、第２の中芯の山と谷が延びる方向と同じ方向に直線状に延びる山ひだと谷ひだが交互に繰り返される、波形の断面形状を有する放射線遮蔽段ボール。
【請求項３】
請求項１または請求項２に記載の放射線遮蔽段ボールであって、
前記放射線遮蔽シートの波形の断面形状は、先端が丸みを帯びた山状の形状と谷状の形状とが交互に連続してなる形状であり、前記放射線遮蔽シート構造物は、放射線を遮蔽する機能と、段ボールの構造上の強度を維持する機能と、を併せ持つ機能性中芯として機能する放射線遮蔽段ボール。
【請求項４】
請求項１に記載の放射線遮蔽段ボールであって、
前記放射線遮蔽段ボールの断面において、前記中芯の谷の底部と、前記放射線遮蔽シート構造物における山ひだの頂部とが重なっている箇所がある放射線遮蔽段ボール。
【請求項５】
請求項２に記載の放射線遮蔽段ボールであって、
前記放射線遮蔽段ボールの断面において、前記第１の中芯の谷の底部と、前記放射線遮蔽シート構造物における山ひだの頂部とが重なっている箇所があり、かつ前記第２の中芯の山の頂部と、前記放射線遮蔽シート構造物における谷ひだの底部とが重なっている箇所がある放射線遮蔽段ボール。
【請求項６】
請求項１〜５のいずれかに記載の放射線遮蔽段ボールであって、
前記基材は、編物、織物、不織布、紙のうちのいずれかで構成される布帛、またはフィルム、またはシートであり、
前記金属粉は、タングステン、バリウム、鉛、ビスマス、アンチモン、希土類金属、ホウ素、カドミウムから選ばれた少なくとも１種の単体、またはその合金、またはその化合物、または前記単体を他の材料で被覆したものの粉であり、
前記コーティング膜の主材は、樹脂膜、または、シロキサン結合をもつ、あるいはアルコキシ基をもつシラン系化合物膜である放射線遮蔽段ボール。
【請求項７】
請求項６に記載の放射線遮蔽段ボールであって、
前記コーティング膜の主材としての前記樹脂膜は、アクリル樹脂膜であり、
前記コーティング膜の主材としての前記シロキサン結合をもつシラン系化合物膜は、Ｓｉ−Ｏ−Ｓｉ結合（シロキサン結合）およびＳｉ−Ｒ（但し、Ｒは、ＨまたはＣｎＨ２ｎ＋１）結合をもつ立体的構造をもつ膜であり、
前記コーティング膜の主材としての前記アルコキシ基をもつシラン系化合物膜は、２官能アルコキシシラン膜、または、３官能アルコキシシラン膜である放射線遮蔽段ボール。
【請求項８】
請求項１〜７のいずれかに記載の放射線遮蔽段ボールであって、
前記金属粉の粒径が３μｍ〜１０μｍであり、
前記コーティング膜は、前記金属粉を含めた単位面積あたりの重さが８００ｇ〜１１００ｇ／ｍ２であり、
前記放射線遮蔽シートの積層数である前記ｎは１〜４のいずれかであり、
前記放射線遮蔽シート構造物は、ガンマ線のコンプトン散乱線を遮蔽する放射線遮蔽段ボール。
【請求項９】
請求項１〜８のいずれかに記載の放射線遮蔽段ボールであって、
前記基材は、単位面積当たりの重さが１００ｇ／ｍ２以下、かつ厚みが０．１ｍｍ以下であり、前記コーティング膜の厚みが０．４ｍｍ以下である放射線遮蔽段ボール。
【請求項１０】
請求項１〜請求項９のいずれかに記載の放射線遮蔽段ボールで構成される、板状の放射線遮蔽段ボール板。
【請求項１１】
請求項１〜請求項９のいずれかに記載の放射線遮蔽段ボールを用いて構成され、蓋部、側部および底部を備える放射線遮蔽段ボール箱。
【請求項１２】
請求項１１に記載の放射線遮蔽段ボール箱を平面状に展開した状態である放射線遮蔽段ボール箱展開材。
【請求項１３】
請求項１〜請求項９のいずれかに記載の放射線遮蔽段ボールで構成された、トンネル状に湾曲した壁部を備え、内部に人が収容される空間が設けられている放射線遮蔽段ボールシェルター。
【請求項１４】
請求項１〜請求項９いずれかに記載の放射線遮蔽段ボールを用いて構成されると共に、屋根部または天井部と、少なくとも一ヵ所に空所または入退出口が設けられている側部と、を有し、内部に人が収容される空間が設けられている放射線遮蔽段ボールシェルター。
【請求項１５】
請求項１〜請求項９のいずれかに記載の放射線遮蔽段ボールを用いて構成されると共に、前壁と、後壁と、左側壁と、右側壁と、天板と、を有し、内部に、一人の人が腰かけた状態にて収容され得る空間が設けられており、前記前壁が開閉可能である放射線段ボールシェルター。
【請求項１６】
請求項１５に記載の放射線遮蔽段ボールシェルターであって、
前記後壁の一部に、前記人が横になったときに足を外に出すことが可能な足出し口が設けられている放射線遮蔽段ボールシェルター。
【請求項１７】
請求項１〜請求項９のいずれかに記載の放射線遮蔽段ボールを用いて構成されると共に、請求項１６に記載の放射線遮蔽段ボールシェルターにおける前記足出し口に連通する足入れ口を有し、かつ前記足入れ口から挿入された足を覆う外壁を備える放射線遮蔽段ボールシェルター。
【考案の詳細な説明】
【技術分野】
【０００１】
本考案は、放射線遮蔽段ボール、放射線遮蔽段ボール板、放射線遮蔽段ボール箱、放射線遮蔽段ボール箱展開材、放射線遮蔽段ボールシェルターに関する。
【背景技術】
【０００２】
原子力発電所の緊急時には、地域住民や避難弱者（幼児、子ども、婦人、老齢者、要介護者等）は、すみやかに遠くへ避難して放射線による被ばくから身を護ることが求められるが、例えば、地震や津波等が重なってトンネルや斜面の崩落等が生じ、道路の通行止めが発生した場合等には、各自治体の避難計画どおりの退避ができない場合があり得る。
【０００３】
このような場合に、地域住民や避難弱者が、その場にとどまりながら放射線による被ばくを低減できる対策を取ることができるのであれば、現状の避難計画（逃げるだけの避難計画）を根本的に見直すことが可能となる。
【０００４】
より進歩した避難計画の実現のためには、地域住民および避難弱者を対象とした、新しい放射線防護技術が必要となる。
【０００５】
従来、災害時において避難住民が使用する仮設住宅を、段ボールを用いて構築することが提案されている（特許文献１）。
【０００６】
また、災害時において使用可能な段ボール（段ボール板）を用いた間仕切りについては、例えば特許文献２に記載されている。
【０００７】
また、従来の放射線防護服は、緊急状態に陥っている原子力発電施設の作業員等が使用することを主目的に製造されており、放射線遮蔽率の高い鉛を用いているのが通常である。しかし、鉛を用いた放射線防護服は、通常の被服と比べて重量が重く、体力面で劣る子どもや女性、老人等は着用すること自体が困難である。
【０００８】
鉛に代えて、タングステンを用いる放射線遮蔽技術については、例えば、特許文献３〜５に記載されている。
【先行技術文献】
【特許文献】
【０００９】
【特許文献１】特開２００７−３０８９５６号公報
【特許文献２】特開２０１４−７４２９６号公報
【特許文献３】特開２０１３−４４７３７号公報
【特許文献４】特開２０１５−７２１５９号公報
【特許文献５】実用新案登録第３１８４２２０号公報
【考案の概要】
【考案が解決しようとする課題】
【００１０】
原子力発電所の緊急時において、地域住民や避難弱者が強烈な放射線（直接線）にさらされる事態は、現実的には、皆無とはいえないまでも少ないと考えられ、むしろ、スカイシャイン線（地上の放射線源から上方に放出された放射線のうち、大気により散乱され地上に戻ってくるもの）のような放射線（具体的には、ガンマ線のコンプトン散乱線等）を長時間あびることによる健康悪化が懸念される。
【００１１】
ガンマ線の散乱線から地域住民や避難弱者を効果的に保護する、避難住民のための実用的な放射線防護手段の開発は急務といえる。特に、軽量で持ち運びも可能な放射線遮蔽構造の構築を低コストで行うことが求められる。このような観点から上記の特許文献に記載の技術を検討する。
【００１２】
特許文献１、２に示される段ボールの仮設住宅や間仕切りには、放射線遮蔽構造は採用されていない。放射線対策の見地からは、効果は期待できない。
【００１３】
特許文献３には、水膨潤性のアミノ酸からなる分散材と水の蒸発により共重合反応により硬化する反応型エマルジョンとの混合物に、タングステン粒子（またはタングステンを高分子樹脂で被覆した被覆タングステン）を混合した遮蔽材が示されている（段落００１６〜００１８）。また、段落００１９（および段落００２８）には、その遮蔽材を布体に塗布して遮蔽布を形成することが示されている。
【００１４】
しかし、この特許文献３では、放射線の散乱線から地域住民や避難弱者を効果的に保護するという観点からの検討がなされておらず、段ボールへの応用についての記載がなく、示唆もない。
【００１５】
特許文献４には、タングステン粉末を含有するコーティング組成物を、コーティング紙に塗布し、乾燥させてなる放射線遮蔽シートが開示されている（段落００４７〜００４８）。
【００１６】
しかし、この特許文献４においても、放射線の散乱線から地域住民や避難弱者を効果的に保護するという観点からの検討がなされておらず、段ボールへの応用についての記載がなく、示唆もない。
【００１７】
特許文献５には、タングステン粉末が混合された放射線遮蔽剤を表面に塗布したクラフト紙が示されている（段落００２０〜００２４）。
【００１８】
しかし、この特許文献５においても、放射線の散乱線から地域住民や避難弱者を効果的に保護するという観点からの検討がなされておらず、段ボールへの応用についての記載がなく、示唆もない。
【００１９】
本考案の目的の一つは、放射線の散乱線から地域住民や避難弱者を効果的に保護することができ、避難住民が容易に利用できる、段ボールを用いた放射線遮蔽技術を実現することである。
【課題を解決するための手段】
【００２０】
（１）本考案の放射線遮蔽段ボールの一態様は、直線状に延びる山と谷が交互に繰り返される、波形の断面形状を有する紙製の中芯と、前記中芯の片側または両側に接着された、平らな板状の紙である第１のライナーと、を有する紙の構造物と、前記中芯の片側に接着された前記第１のライナー、または前記中芯の両側に接着された前記第１のライナーのうちの一方の、前記中芯が接着されている面とは反対の側の面に接着された放射線遮蔽シート構造物と、前記放射線遮蔽シート構造物の、前記紙の構造物とは反対の側に接着された、平らな板状の紙である第２のライナーと、を有し、前記放射線遮蔽シート構造物は、放射線遮蔽シートがｎ枚（ｎは１を含む自然数）積層された構造を有し、前記放射線遮蔽シートは、基材と、前記基材の表面に設けられ、かつ金属粉が配合されてなる、放射線の遮蔽効果をもつコーティング膜と、を有すると共に、前記基材および前記コーティング膜が、前記中芯の山と谷が延びる方向と同じ方向に直線状に延びる山ひだと谷ひだが交互に繰り返される、波形の断面形状を有する。
【００２１】
（２）本考案の放射線遮蔽段ボールの他の態様は、直線状に延びる山と谷が交互に繰り返される、波形の断面形状を有する紙製の第１の中芯と、前記第１の中芯の片側または両側に接着された、平らな板状の紙である第１のライナーと、を有する第１の紙の構造物と、前記第１の中芯の片側に接着された前記第１のライナー、または前記第１の中芯の両側に接着された前記第１のライナーのうちの一方の、前記第１の中芯が接着されている面とは反対の側の面に接着された放射線遮蔽シート構造物と、前記第１の中芯の山と谷が延びる方向と同じ方向に直線状に延びる山と谷が交互に繰り返される、波形の断面形状を有する紙製の第２の中芯と、前記第２の中芯の片側または両側に接着された、平らな板状の紙である第２のライナーと、を有し、かつ、前記第２の中芯の片側に接着された前記第２のライナー、または前記第２の中芯の両側に接着された前記第２のライナーのうちの一方の、前記第２の中芯が接着されている面とは反対の側の面が、前記放射線遮蔽シート構造物の、前記第１の紙の構造物とは反対の側に接着された第２の紙の構造物と、を備え、前記放射線遮蔽シート構造物が、前記第１、第２の紙の構造物に挟まれた構造を有し、前記放射線遮蔽シート構造物は、放射線遮蔽シートがｎ枚（ｎは１を含む自然数）積層された構造を有し、前記放射線遮蔽シートは、基材と、前記基材の表面に設けられ、かつ金属粉が配合されてなる、放射線の遮蔽効果をもつコーティング膜と、を有すると共に、前記基材および前記コーティング膜が、前記第１、第２の中芯の山と谷が延びる方向と同じ方向に直線状に延びる山ひだと谷ひだが交互に繰り返される、波形の断面形状を有する。
【００２２】
（３）本考案の放射線遮蔽段ボールの他の態様では、前記放射線遮蔽シートの波形の断面形状は、先端が丸みを帯びた山状の形状と谷状の形状とが交互に連続してなる形状であり、前記放射線遮蔽シート構造物は、放射線を遮蔽する機能と、段ボールの構造上の強度を維持する機能と、を併せ持つ機能性中芯として機能する。
【００２３】
（４）本考案の放射線遮蔽段ボールの他の態様では、前記放射線遮蔽段ボールの断面において、前記中芯の谷の底部と、前記放射線遮蔽シート構造物における山ひだの頂部とが重なっている箇所がある。
【００２４】
（５）本考案の放射線遮蔽段ボールの他の態様では、前記放射線遮蔽段ボールの断面において、前記第１の中芯の谷の底部と、前記放射線遮蔽シート構造物における山ひだの頂部とが重なっている箇所があり、かつ前記第２の中芯の山の頂部と、前記放射線遮蔽シート構造物における谷ひだの底部とが重なっている箇所がある。
【００２５】
（６）本考案の放射線遮蔽段ボールの他の態様では、前記基材は、編物、織物、不織布、紙のうちのいずれかで構成される布帛、またはフィルム、またはシートであり、前記金属粉は、タングステン、バリウム、鉛、ビスマス、アンチモン、希土類金属、ホウ素、カドミウムから選ばれた少なくとも１種の単体、またはその合金、またはその化合物、または前記単体を他の材料で被覆したものの粉であり、前記コーティング膜の主材は、樹脂膜、または、シロキサン結合をもつ、あるいはアルコキシ基をもつシラン系化合物膜である。
【００２６】
（７）本考案の放射線遮蔽段ボールの他の態様では、前記コーティング膜の主材としての前記樹脂膜は、アクリル樹脂膜であり、前記コーティング膜の主材としての前記シロキサン結合をもつシラン系化合物膜は、Ｓｉ−Ｏ−Ｓｉ結合（シロキサン結合）およびＳｉ−Ｒ（但し、Ｒは、ＨまたはＣｎＨ２ｎ＋１）結合をもつ立体的構造をもつ膜であり、前記コーティング膜の主材としての前記アルコキシ基をもつシラン系化合物膜は、２官能アルコキシシラン膜、または、３官能アルコキシシラン膜である放射線遮蔽段ボール。
【００２７】
（８）本考案の放射線遮蔽段ボールの他の態様では、前記金属粉の粒径が３μｍ〜１０μｍであり、前記コーティング膜は、前記金属粉を含めた単位面積あたりの重さが８００ｇ〜１１００ｇ／ｍ２であり、前記放射線遮蔽シートの積層数である前記ｎは１〜４のいずれかであり、前記放射線遮蔽シート構造物は、ガンマ線のコンプトン散乱線を遮蔽する。
【００２８】
（９）本考案の放射線遮蔽段ボールの他の態様では、前記基材は、単位面積当たりの重さが１００ｇ／ｍ２以下、かつ厚みが０．１ｍｍ以下であり、前記コーティング膜の厚みが０．４ｍｍ以下である。
【００２９】
（１０）本考案の放射線遮蔽段ボール板の一態様は、上記いずれかの放射線遮蔽段ボールで構成される、板状の放射線遮蔽段ボール板である。
【００３０】
（１１）本考案の放射線遮蔽段ボール箱の一態様は、上記いずれかに記載の放射線遮蔽段ボールを用いて構成され、蓋部、側部および底部を備える放射線遮蔽段ボール箱である。
【００３１】
（１２）本考案の放射線遮蔽段ボール箱展開材の一態様は、上記の放射線遮蔽段ボール箱を平面状に展開した状態である放射線遮蔽段ボール箱展開材である。
【００３２】
（１３）本考案の放射線遮蔽段ボールシェルターの一態様は、上記いずれかに記載の放射線遮蔽段ボールで構成された、トンネル状に湾曲した壁部を備え、内部に人が収容される空間が設けられている。
【００３３】
（１４）本考案の放射線遮蔽段ボールシェルターの他の態様では、上記いずれかに記載の放射線遮蔽段ボールを用いて構成されると共に、屋根部または天井部と、少なくとも一ヵ所に空所または入退出口が設けられている側部と、を有し、内部に人が収容される空間が設けられている。
【００３４】
（１５）本考案の放射線遮蔽段ボールシェルターの他の態様では、上記いずれかの放射線遮蔽段ボールを用いて構成されると共に、前壁と、後壁と、左側壁と、右側壁と、天板と、を有し、内部に、一人の人が腰かけた状態にて収容され得る空間が設けられており、前記前壁が開閉可能である。
【００３５】
（１６）本考案の放射線遮蔽段ボールシェルターの他の態様では、前記後壁の一部に、前記人が横になったときに足を外に出すことが可能な足出し口が設けられている。
【００３６】
（１７）本考案の放射線遮蔽段ボールシェルターの他の態様は、上記いずれかに記載の放射線遮蔽段ボールを用いて構成されると共に、上記の放射線遮蔽段ボールシェルターにおける前記足出し口に連通する足入れ口を有し、かつ前記足入れ口から挿入された足を覆う外壁を備える。
【考案の効果】
【００３７】
本考案により、放射線の散乱線から地域住民や避難弱者を効果的に保護することができ、避難住民が容易に利用可能な、段ボールを用いた放射線遮蔽技術を実現することができる。本考案によれば、例えば、日常の生活空間を利用して多重の放射線遮蔽障壁を容易に構築すること（例えば、放射線遮蔽段ボールを屋内の壁に設置して第１の障壁とし、さらに屋内に放射線遮蔽段ボールシェルターを設置して第２の障壁とする等）が可能となる。地域住民や避難弱者が、その場にとどまりながら放射線による被ばくを低減できる対策を取ることができることから、現状の、逃げるだけの避難計画を、より適応的で積極的な避難計画に転換する一助となり得る。
【図面の簡単な説明】
【００３８】
【図１】（Ａ）は放射線遮蔽段ボールの一例（両面段ボール）の斜視図、（Ｂ）は放射線遮蔽段ボールの他の例（片面段ボール）の斜視図、（Ｃ）、（Ｄ）は、放射線遮蔽シートの積層態様を示す断面図である。
【図２】放射線遮蔽段ボールの断面構造の一例を模式的に示す図である。
【図３】放射線遮蔽段ボールの断面構造の他の例を模式的に示す図である。
【図４】放射線遮蔽段ボール板の一例の斜視図である。
【図５】（Ａ）、（Ｂ）は、放射線遮蔽段ボールの断面構造の、さらに他の例（３層構造の例）を模式的に示す図である。
【図６】放射線遮蔽段ボール板の他の例（図５（Ａ）に示される放射線遮蔽段ボールを用いたもの）の斜視図である。
【図７】放射線遮蔽段ボール板をガレージの内壁として利用して放射線防護シェルターを構築した例を示す図である。
【図８】（Ａ）は放射線遮蔽段ボール箱の一例の斜視図、（Ｂ）は（Ａ）に示される放射線遮蔽段ボール箱を平面状に展開した放射線遮蔽段ボール箱展開材の正面図である。
【図９】（Ａ）は放射線遮蔽段ボールシェルターの一例（トンネル状に湾曲した壁部を備える例）の斜視図、（Ｂ）は放射線遮蔽段ボールシェルターの他の例（空所または入退出口を備える箱状のもの）の斜視図である。
【図１０】放射線遮蔽段ボールシェルターの他の例（屋根と、少なくとも一ヵ所に入退出口が設けられている外壁とを有する例）の斜視図である。
【図１１】（Ａ）は、放射線遮蔽段ボールシェルターの他の例（前壁が開閉可能であり、後壁の一部に、人が横になったときに足を外に出すことが可能な足出し口が設けられている個人シェルターの例）を示す図、（Ｂ）は、（Ａ）の放射線遮蔽段ボールシェルターにおいて使用される下枠の一部の斜視図である。
【図１２】図１１（Ａ）の放射線遮蔽ダンボ―ルシェルターに、足入れ用のシェルターを連結した構成を示す図である。
【図１３】図１２に示される放射線遮蔽ダンボールシェルターの構成において、人が横になって利用する態様を示す図である。
【図１４】図１１（Ａ）に示される個人用のシェルターを２つ連結させて使用する構成を示す図である。
【図１５】（Ａ）は、本考案で使用される放射線遮蔽シート構造物の、立体的断面の形成前の形状を示す図、（Ｂ）は、規則的なひだを有する立体的断面を形成した後（プリーツ加工後）の形状を示す図、（Ｃ）は、（Ｂ）に示される放射線遮蔽シート構造物の放射線遮蔽効果を模式的に示す図である。
【図１６】図１５（Ｂ）に示される放射線遮蔽シート（プリーツ）の斜視図である。
【図１７】（Ａ）、（Ｂ）は、放射線遮蔽シートの積層（重ね合わせ）の態様を示す図である。
【図１８】スモッキング型の放射線遮蔽シートの凹凸状の立体断面および表面に形成される模様（縮緬模様）の例を示す図である。
【図１９】（Ａ）〜（Ｃ）は、コーティング膜の主材の構造例（立体的構造例）を示す図である。
【図２０】本考案で使用される放射線遮蔽シート構造物（プリーツまたはスモッキング）の、ガンマ線の散乱線に対する遮蔽率の測定結果（線量計で測定）の一例を示す図である。
【図２１】本考案で使用される放射線遮蔽シート構造物（プリーツまたはスモッキング）の、ガンマ線の直接線に対する遮蔽率の測定結果（線量計で測定）の一例を示す図である。
【図２２】本考案で使用される放射線遮蔽シート（プリーツまたはスモッキング）の、放射線（アルファ線、ベータ線、ガンマ線を含む）の遮蔽率の測定結果（ＮａＩシンチレーションスペクトルメータで測定）の一例を示す図である。
【図２３】ガンマ線（直接線および散乱線）の測定に用いられた、線源と測定器との位置関係を示す図である。
【図２４】（Ａ）、（Ｂ）はそれぞれ、放射線の直接線、散乱線（コンプトン散乱線）について説明するための図である。
【図２５】福島県の浪江町におけるフィールド試験で得られた、ガンマ線スペクトルの一例を示す図である。
【考案を実施するための形態】
【００３９】
実施形態の説明をする前に、放射線の直接線と散乱線（コンプトン散乱線）について、図２４（Ａ）、（Ｂ）を参照して説明する。図２４（Ａ）に示すように、ガンマ線の線源５００と検出器５２０とを所定距離をおいて配置し、散乱が少ない環境下（例えば、放射線測定器の校正施設内）で、ガンマ線ＲＤを検出する場合、ガンマ線のエネルギースペクトルをみると、５００ｋｅｖ以下のコンプトン散乱線によるピークより、直接線による光電ピーク（５００ｋｅｖを超える領域におけるセシウム１３７等による光電ピーク）が高く検出される。
【００４０】
一方、図２４（Ｂ）のように、線源５００と検出器５２０との間に散乱体５１０が介在する場合、検出器５２０では、ガンマ線のうち、散乱体５１０により散乱されずに直接に到達する直接線ＲＤ１０よりも、散乱体５１０に衝突して散乱（コンプトン散乱）された散乱線ＲＤ２０がより多く検出され、この結果、ガンマ線のエネルギースペクトルをみると、５００ｋｅｖ以下のコンプトン散乱線によるピークの方が、直接線による光電ピークよりも高く検出される。
【００４１】
原子炉建屋のオペレーションフロアでの測定時や、原子力発電所の事故によってスカイシャイン線が生じる状況（建屋天井を通過して施設の外部に出た放射線が、上空の大気で散乱されて地上に向かう放射線が観測される状況）でのガンマ線のエネルギースペクトルは、図２４（Ｂ）に近いと考えられる。
【００４２】
図２５は、福島県の浪江町で測定されたガンマ線のエネルギースペクトルの一例を示している。コンプトン散乱線によるピークＰ１が、セシウム１３７による光電ピークＰ２やセシウム１３４による光電ピークＰ３、Ｐ４よりも高く検出されているのがわかる。
【００４３】
従来の放射線防護対策は、緊急状態に陥っている原子力発電施設の作業員等が使用することを主目的に製造されており、放射線遮蔽率の高い鉛を用いているのが通常であったが、現実的な見地から考察すると、万一、原子力発電所の事故が発生した場合でも、地域住民や避難弱者が強烈な放射線にさらされる事態は、現実的には、皆無とはいえないまでも少ないと考えられ、むしろ、スカイシャイン線のような、ガンマ線のコンプトン散乱線等を長時間あびることによる健康悪化を確実に阻止するような対策が重要となるものと考えられる。
【００４４】
つまり、放射線の散乱線等から地域住民や避難弱者を効果的に保護するための、地域住民や避難弱者が容易に利用可能な放射線防護技術の開発は急務である。本考案は、従来の放射線防護の概念を見直し、放射線の散乱線等から地域住民や避難弱者を効果的に保護する、という点に着目して新規な製品の開発を行った結果として得られたものである。
【００４５】
以下、本考案の実施形態について図面を参照して説明する。なお、図１〜図１４を用いて、放射線遮蔽段ボール、放射線遮蔽段ボール板、放射線遮蔽段ボール箱、放射線遮蔽段ボール箱展開材、放射線遮蔽段ボールシェルターについて説明し、放射線遮蔽段ボールに用いられている放射線遮蔽シート（および放射線遮蔽シート構造物）の詳細については、図１５〜図２３を用いて説明する。
（第１の実施形態）
【００４６】
図１の（Ａ）は放射線遮蔽段ボールの一例（両面段ボール）の斜視図、（Ｂ）は放射線遮蔽段ボールの他の例（片面段ボール）の斜視図、（Ｃ）、（Ｄ）は、放射線遮蔽シートの積層態様を示す断面図である。図１（Ａ）に示される放射線遮蔽段ボール２は、紙の構造物７（紙製の中芯９、紙製の第１のライナー８、１２）と、金属粉を含有する、放射線遮蔽効果をもつ放射線遮蔽シート３０を用いた放射線遮蔽構造体３１と、紙製の第２のライナー１４とを複合させて、放射線遮蔽機能を付与した複合型の機能性段ボールである。
【００４７】
図１（Ａ）において、紙の構造物７は、Ｙ方向に直線状に延びる山と谷が、Ｘ方向に沿って交互に繰り返される、波形（波状）の断面形状を有する紙製の中芯（中芯紙）９と、中芯９の両側に接着された、平らな板状の紙（段ボール原紙）である第１のライナー８、１２と、で構成される。
【００４８】
中芯９の両側に接着された第１のライナー８、１２のうちの、内側（または下側）に位置している一方の第１のライナー１２における、中芯９が接着されている面（上面）とは反対の側の面（下面）には、放射線遮蔽シート構造物３１が接着されている。
【００４９】
放射線遮蔽シート構造物３１の、紙の構造物７とは反対の側（つまり、放射線遮蔽シート構造物３１の下側または裏面側）には、平らな板状の紙（段ボール原紙）である第２のライナー１４が接着されている。
【００５０】
ここで、放射線遮蔽シート構造物３１は、立体的な波状の断面形状をもつ放射線遮蔽シート３０が、ｎ枚（ｎは１を含む自然数であり、図１（Ａ）の場合、ｎ＝１である）積層されてなる。重量や厚みの制限等を考慮すると、積層数ｎは、好ましくは１〜４である。
【００５１】
一枚の放射線遮蔽シート３０は、布帛等からなる基材１０と、基材１０の表面に設けられ、かつ金属粉２２が配合されてなり、放射線の遮蔽効果をもつコーティング膜２０と、を有する。
【００５２】
また、放射線遮蔽シート３０における基材１０およびコーティング膜２０は、上述のとおり、中芯（中芯紙）９の山と谷が延びる方向（Ｙ方向）と同じ方向に直線状に延びる山ひだと谷ひだが、Ｘ方向（Ｙ方向に直交する方向）に沿って交互に繰り返され、波形(波状)の立体的な断面形状を有する構造を備えており、本明細書では、この構造を「プリーツ」と称する。
【００５３】
放射線遮蔽シート構造物３１は、放射線を遮蔽する機能と、段ボールの構造上の強度を維持する機能と、を併せ持つ機能性中芯として機能する。
【００５４】
次に、図１（Ｂ）を参照する。図１（Ｂ）には、片面段ボールと呼ばれる構造が示されている。図１（Ｂ）では、図１（Ａ）における、第１のライナー８、１２のうち、表面側の第１のライナー８が省略されている。紙の構造物７は、紙製の中芯（中芯紙）９と、第１のライナー１２と、で構成され、紙製の中芯（中芯紙）９は、表面に露出している。片面段ボール構造は、放射線遮蔽段ボール２の柔軟性を、より増したい場合等に採用され得る。
【００５５】
次に、図１（Ｃ）、（Ｄ）を参照して、放射線遮蔽シート３０の積層の態様について説明する。例えば、放射線遮蔽シート３０を、２枚積層する場合（積層数ｎ＝２の場合）、原則的には、図１（Ｃ）のように、放射線遮蔽シート３０ａ（基材１０ａと、コーティング膜２０ａとで構成される）と、放射線遮蔽シート３０ｂ（基材１０ｂと、コーティング膜２０ｂとで構成される）と、を密着させて積層する。但し、これに限定されるものではなく、必要に応じて、図１（Ｄ）のように、各放射線遮蔽シート３０ａ、３０ｂを立体的に積層することも可能である。図１（Ｃ）の構造は、厚みを薄くでき、また構造上の強度も高くすることができるという利点がある。一方、図１（Ｄ）の構造の場合は、各放射線シート３０ａ、３０ｂとの間に空間を設けることができ、例えば、断熱性を高める効果を得られるという利点がある。
【００５６】
次に、放射線遮蔽段ボール２の好ましい厚みについて説明する。図１（Ａ）、（Ｂ）において、放射線遮蔽段ボール２の全体の厚みＴ４０は例えば１０ｍｍであり、中芯９の高さＴ２０は例えば３ｍｍであり、放射線遮蔽構造物３１（放射線遮蔽シート３０が一枚の場合）の高さＴ３０は例えば４ｍｍであり、第１のライナー８、１２、第２のライナー１４の各厚みＴ１０は例えば１ｍｍである。従来の紙の段ボールとそん色なく、地域住民や避難弱者であっても違和感なく使用することができる。
【００５７】
次に、放射線遮蔽シート３０における、基材１０、コーティング膜２０、金属粉２２の材質の例について説明する。
【００５８】
基材１０としては、編物、織物、不織布、紙のうちのいずれかで構成される布帛、またはフィルム、またはシートを用いることができる。例えば、ポリエステル繊維、ガラス繊維、綿などからなる布帛（布）を用いることができる。この場合、基材１０は、「基布」と称することができる。また、ポリエステル等からなるフィルムやシートを基材１０として用いることができる。
【００５９】
放射線遮蔽シート３０の重量制限等を考慮すると、基材１０は、例えば、単位面積当たりの重さが１００ｇ／ｍ２以下であり、また、体積の減少や柔軟性の確保等の観点から、その厚みは、例えば、０．１ｍｍ以下とされるのが好ましい。
【００６０】
金属粉２２としては、タングステン、バリウム、鉛、ビスマス、アンチモン、希土類金属
（以上の金属は、ガンマ線、Ｘ線の遮蔽に有効である）、あるいは、ホウ素、カドミウム（以上の金属は中性子の遮蔽に有効である）から選ばれた、少なくとも１種の単体、またはその合金、またはその化合物、または単体を他の材料で被覆したものの粉を用いることができる。但し、これらは例示であり、これらに限定されるものではない。
【００６１】
ここで、アルファ線やベータ線に比べて、ガンマ線は遮蔽が難しく、人や生物に与える影響度が高いことから、避難弱者用の放射線遮蔽シート構造物３１の開発にあたっては、特に、ガンマ線のコンプトン散乱線を遮蔽するという設計思想を取り入れることが好ましい。この観点からは、金属粉として、タングステン粉（タングステンを主体とする金属粉）を用いることが好ましい。
【００６２】
なお、本明細書において、「金属タングステン」というとき、純粋な「タングステン」の他、「タングステン合金（例えば、タングステンを主成分とし、バインダー層をニッケル、銅、鉄などで構成したもの等）」、「酸化タングステン等のタングステン化合物」、「タングステン粒子を他の材料で被覆したもの」を含むものとし、これらは、「タングステンを主体とする金属粉」と称することができる。
【００６３】
また、コーティング膜２０としては、樹脂膜（天然樹脂膜、合成樹脂膜の双方を含むが特に、可塑性を有する合成樹脂膜が好ましく、例えばアクリル樹脂膜が好ましい）、またはシラン系有機膜（例えば、主骨格がシロキサン結合で、側鎖に有機基をもつオルガノポリシロキサンに代表されるシラン系ポリマー）、またはシラン系無機膜（例えば、シラン系ポリマーの構成を制御し、メチル基やフェニル基等のアルキル基を除去あるいは低減し、シリケート様のＳｉ−Ｏ連続構造を内部に持つようにしたシラン無機系ポリマー）、またはシリコーン膜（但し、シリコーンは、シロキサン結合を主骨格にもつ、ケイ素をもとに作り出された人工の化合物の総称）、アルコキシシラン膜（アルコキシ基を持つケイ素化合物膜）等を用いることができる。
【００６４】
シリコーン膜としては、例えば、Ｓｉ−Ｏ−Ｓｉ結合（シロキサン結合）およびＳｉ−Ｒ（但し、Ｒは、ＨまたはＣｎＨ２ｎ＋１）結合をもつシリコーン膜を用いることができる（図１９（Ａ））。
【００６５】
また、アルコキシシラン膜としては、例えば、２官能アルコキシシラン膜、または、３官能アルコキシシラン膜などを用いることができる（図１９（Ｂ）、（Ｃ））。なお、これらの立体的な分子構造の例については、第７の実施形態にて説明する。
【００６６】
また、金属粉の粒径は、放射線遮蔽効果および放射線遮蔽シート全体の重量制限を勘案して、その粒径は、好ましくは、３μｍ〜１０μｍである。
【００６７】
また、コーティング膜２０は、同様の理由により、金属粉を含めた単位面積あたりの重さが、好ましくは８００ｇ〜１１００ｇ／ｍ２である。また、コーティング膜２０の厚みは、体積（厚み）の制限等の観点から、例えば、０．４ｍｍ以下に設定されることが好ましい。
【００６８】
なお、重量制限、構造物の厚み制限ならびに構造物の機械的安定性等を考慮すると、放射線遮蔽シート３０の積層数ｎは、好ましくは、１〜４の範囲である。
【００６９】
次に、図２を参照する。図２は、放射線遮蔽段ボールの断面構造の一例を模式的に示す図である。
【００７０】
図２において、左上に一点鎖線で囲んで示す箇所Ａのように、第１のライナー８（表面側の第１のライナー）の下面と中芯９の山の頂部とは、のり、樹脂等の接着材３にて接着されている。
【００７１】
接着材３は、第１のライナー８の下面に局所的に塗布等で設けてもよく、第１のライナー８の下面の全面に設けてもよい。第１のライナー１２（内側の第１のライナー）の上面と中芯９の谷の頂部（あるいは底部）との接着（図２中の一点鎖線で囲んで示すＢ）についても同様である。
【００７２】
また、図２において、下側に一点鎖線で囲んで示す箇所Ｃのように、第１のライナー１２（内側の第１のライナー）の下面と放射線遮蔽シート構造物３１（放射線遮蔽シート３０）の谷ひだの頂部（底部）とは、のり、樹脂等の接着材５にて接着されている。
【００７３】
接着材５は、接着材３と同じものであってもよいが、好ましくは、各材料との親和性等を考慮して、接着材３、５の材質を個別に選ぶのがよい。
【００７４】
また、接着材５は、第１のライナー８の下面に局所的に塗布等で設けてもよく、第１のライナー８の下面の全面に設けてもよい。第２のライナー１４の上面と放射線遮蔽シート構造物３１（放射線遮蔽シート３０）の山ひだの頂部との接着（図２中の一点鎖線で囲んで示すＤ）についても同様である。
【００７５】
図１（Ａ）、（Ｂ）、図２に示される放射線遮蔽段ボール２において、放射線遮蔽シート構造物３１は、波形（波状）の立体的な断面形状を有するｎ枚（ｎは好ましくは、１〜４の自然数である）の放射線遮蔽シート３０からなり、この放射線遮蔽シート構造物３１自体が、段ボールの中芯としても機能することから、力学的強度が向上する。
【００７６】
ここで、放射線遮蔽シート３０の波形に着目すると、図１（Ａ）、（Ｂ）、図２からも明らかなように、先端部（山の頂部および谷の底部）が丸みを帯びており、先鋭な形状とはなっていないことから、力学的に安定であり、また、ライナーを損傷する心配もない。また、その波形における一つの「山」に着目すると、谷から山の頂部に向けて幅が狭くなる、安定した山型をしており、ループ形状と称されるような不安定な形状とはなっていない。よって、力学的強度が保たれる。
【００７７】
つまり、放射線遮蔽シート３０の波形の断面形状は、先端が丸みを帯びた山状の形状と谷状の形状とが、（図１（Ａ）のＸ方向に沿って）交互に連続してなる形状となっており、これによって、段ボールとしての機械的強度を確保することができる。
【００７８】
また、図２からも明らかなように、波形の断面形状を有する紙製の中芯（中芯紙）９が、平らな板状の紙である第１のライナー８、１２に挟まれて固定され、かつ、波形の立体的な断面形状を有する放射線遮蔽構造物３１が、内側（下側）の第１のライナー１２と第２のライナー１４とによって挟まれて固定される構造であり、放射線遮蔽シート構造物３１自体が、段ボールの中芯としても機能しており、中芯（中芯紙）９を第１の中芯とする場合、放射線遮蔽シート構造物３１を第２の中芯とみることができ、図２の構造は、ライナーに貼り合わされた第１、第２の中芯を備える２段重ねの段ボール構造ということができる。よって、力学的に安定しており、従来の段ボールとそん色ない力学的強度を確保することができる。
【００７９】
また、放射線遮蔽シート構造物３１の波形の立体的断面は、放射線遮蔽効果を向上させる効果も有している。
【００８０】
ここで、図１５（Ｃ）を参照する。放射線遮蔽シート３０が波形（波状）の立体的な断面形状を有することから、放射線遮蔽シート３０に斜め上から到来する放射線ＲＡ１は、図中、Ｃ１〜Ｃ４で示されるように４回、放射線遮蔽シート３０を通過する。よって、この場合には、平らなシートに比べて４倍の放射線遮蔽効果を得られる。
【００８１】
このように、図１（Ａ）、（Ｂ）、図２に示される放射線遮蔽段ボール２における、波形（波状）の立体的な断面形状を有する放射線遮蔽シート構造物３１は、段ボールの中芯としての役割を果たして十分な段ボールの力学的強度を確保に寄与し、かつ、到来する放射線（散乱線等）が通過する回数を増やして放射線遮蔽効果を向上させるという効果も併せもつ。この点で、本考案における放射線遮蔽シート構造物３１は、従来の２段重ねの紙の段ボールにおける中芯紙とは、その本質を異にするものである。
【００８２】
すなわち、本考案における放射線遮蔽シート構造物３１は、放射線を遮蔽する機能と、段ボールの構造上の強度を維持する機能と、を併せ持つ「機能性中芯」として機能している。
【００８３】
放射線遮蔽段ボール２は、紙製の中芯（中芯紙）９と、紙製ではない「機能性中芯」とが重ね合わせて用いられる「複合的な段ボール」である。
【００８４】
また、「機能性中芯」は、布帛等からなる基材１０と、金属粉２２を含有する薄いコーティング膜２０と、を備えており、かさばらずに、放射線を散乱・吸収して放射線を遮蔽（低減）する機能をもち、さらに、丸みを帯びた山状、谷状の先端の波形の断面形状を有しており、この波形は、段ボールとしての機械的強度を維持させる効果と、斜めから到来する放射線が通過する回数を増やして放射線遮蔽効果を向上させる効果と、を併せ持つものである。よって、放射線遮蔽段ボール２は、「放射線遮蔽機能を付与した複合型の機能性段ボール」となる。
【００８５】
また、放射線遮蔽シート構造物３１を構成する放射線遮蔽シート３０は、布帛等からなる基材１０と、その表面に設けられた（つまり密着固定された）金属粉（タングステン粉等）２２を含有するコーティング膜２０と、で構成されており、基材（布帛やフィルム等）およびコーティング膜２０の材料としての樹脂やシラン膜等は、本来的に紙（段ボール原紙を含む）と親和性があり、接着が容易であることから、接着材（例えば、のり、熱硬化性の樹脂等）にて安定的に固定することができる。
【００８６】
図１、図２の放射線遮蔽段ボール２は、例えば、従来の段ボール（紙のみの段ボール）を製造するコルゲータ（製段機）を用いて、従来どおりの方法で製造することもでき、量産にも適している。
【００８７】
すなわち、ライナー上に中芯（または放射線遮蔽シート構造物）を設け、その上にライナーを配置し、２つのライナーで中芯（または放射線遮蔽シート構造物）を挟んだ状態で、中芯（または放射線遮蔽シート構造物）を接着材を用いて、ライナーに、例えば圧着固定することによって、放射線遮蔽段ボールを製造することができる。よって、量産性にも優れる。
【００８８】
また、図２に示されるように、放射線遮蔽段ボール２の断面における箇所Ｑ１、Ｑ２（図２中、一点鎖線の楕円で囲んで示される）において、中芯（中芯紙）９の谷の頂部と、放射線遮蔽シート構造物３１における山ひだの頂部（底部）とが重なり合っている。これにより、上下方向に力が加わっても、放射線遮蔽段ボール２は変形しにくくなり、力学的強度が向上する。
【００８９】
中芯（中芯紙）９の波の周期と放射線遮蔽シート構造物３１の波の周期とが、一致とはいかないまでも、ある程度近いものであれば、図２中の箇所Ｑ１、Ｑ２のような箇所は、周期的に、近接して現れることから、放射線遮蔽段ボール３１は十分な強度を有する。
【００９０】
図３は、放射線遮蔽段ボールの断面構造の他の例を模式的に示す図である。図３の例の場合、中芯（中芯紙）９の波の周期と放射線遮蔽シート構造物３１の波の周期とが、一致（略一致を含む）しており、放射線遮蔽段ボール２の断面における箇所Ｅ１〜Ｅ５（図中、一点鎖線の楕円で囲んで示される）の各々において、中芯（中芯紙）９の谷の頂部（底部）と、放射線遮蔽シート構造物３１における山ひだの頂部とが重なり合っている。これにより、上下方向に力が加わっても、放射線遮蔽段ボール２はさらに変形しにくくなり、力学的強度がさらに向上する。
【００９１】
図２、図３の例のように、放射線遮蔽段ボール２の断面において、中芯（中芯紙）９の谷の頂部（底部）と、放射線遮蔽シート構造物３１における山ひだの頂部とが、少なくとも局所的に重なり合うようにする（つまり、重なる箇所がある構造とする）ことで、放射線遮蔽段ボール２の機械的強度を向上させることができる。
【００９２】
次に、放射線遮蔽段ボール板について説明する。
【００９３】
図４は、本考案の放射線遮蔽段ボール板の一例を示す斜視図である。放射線遮蔽段ボール板２１は、図１〜図３に示される放射線遮蔽段ボール２を板状に加工して得られるものである。図４において、図１〜図３と共通する部分には、同じ参照符号を付してある。以下の図面においても同様である。
【００９４】
放射線遮蔽段ボール板２１は、厚みＨ１が、例えば１０ｍｍに設定され、幅Ｈ２が、例えば１０００ｍｍに設定され、高さＨ３が、例えば１２００ｍｍに設定される。また、放射線遮蔽段ボール板２１の重さは、例えば１ｋｇ程度以下である。
【００９５】
サイズ的にみても、また重量的にみても、一般の人が容易に取り扱うことができる。例えば、避難所となる学校の体育館等の壁に沿って放射線遮蔽段ボール板２１を立てかけたり、家の窓の内側に放射線遮蔽段ボール板２１を配置したりすることによって、外部から到来する放射線を吸収、散乱して、その強度を効果的に低減することができる。
【００９６】
次に、図５（Ａ）、（Ｂ）を参照する。なお、図５（Ａ）の構造は、図１（Ａ）に示される構造に対応し、図５（Ｂ）の構造は、図１（Ｂ）に示される構造に対応する。図５（Ａ）、（Ｂ）の例では、放射性遮蔽シート構造物３１を、同じ構造の２つの紙の構造物７、７'で挟み込んだ構造を採用する。これにより、放射線遮蔽段ボール２の全体の反りや変形を、より抑制することが可能である。
【００９７】
すなわち、放射線遮蔽シート構造物は金属粉を含んでいることから、紙の構造物に比べて重い。また、放射線遮蔽シートは、布等の基材に、波形断面の金属粉を含むコーティング膜を設けたものであり、従来の紙の段ボールには見られない構造である。また、放射線シート構造物は、基材と、金属粉を含むコーティング膜とで構成され、紙とは異質の材料であることから、熱膨張係数等の物理的性質が異なる。
【００９８】
そこで、図５（Ａ）、（Ｂ）の例では、放射性遮蔽シート構造物３１を、同じ構造の２つの紙の構造物７、７'で挟み込んだ構造を採用し、ライナーのみの構造をなくして機械的強度を向上させ、また、構造強度を左右（上下）対称として力学的な安定性を向上させ、変形や反りが生じる可能性を、より低減している。
【００９９】
以下、具体的に説明する。
【０１００】
図５（Ａ）、（Ｂ）に示されるように、放射線遮蔽シート構造物２'は、直線状に延びる山と谷が交互に繰り返される、波形の断面形状を有する紙製の第１の中芯９ａと、第１の中芯９ａの片側または両側に接着された、平らな板状の紙である第１のライナー（（Ａ）の場合は８ａ、１２、（Ｂ）の場合は１２）と、を有する第１の紙の構造物７と、第１の中芯９ａの片側に接着された第１のライナー（（Ｂ）の１２）、または第１の中芯９ａの両側に接着された第１のライナー（（Ａ）の８ａ、１２）のうちの一方（１２）の、第１の中芯９ａが接着されている面（上面）とは反対の側の面（下面）に接着された放射線遮蔽シート構造物３１と、第１の中芯９ａの山と谷が延びる方向と同じ方向に直線状に延びる山と谷が交互に繰り返される、波形の断面形状を有する紙製の第２の中芯９ｂと、第２の中芯９ｂの片側または両側に接着された、平らな板状の紙である第２のライナー（Ａ）の場合は１４、８ｂ、（Ｂ）の場合は１４）と、を有し、かつ、第２の中芯９ｂの片側に接着された第２のライナー（（Ｂ）の１４）、または第２の中芯９ｂの両側に接着された第２のライナーのうちの一方（（Ａ）の１４）の、第２の中芯９ｂが接着されている面（下面）とは反対の側の面（上面）が、放射線遮蔽シート構造物３１の、第１の紙の構造物７とは反対の側（図５（Ａ）、（Ｂ）において放射線シート構造物３１の下側）に接着された第２の紙の構造物７'と、を備え、放射線遮蔽シート構造物３１が、第１、第２の紙の構造物７、７'に挟まれた構造を有し、放射線遮蔽シート構造物３１は、放射線遮蔽シート３０がｎ枚（ｎは１を含む自然数）積層された構造を有し（図５（Ａ）、（Ｂ）ではｎ＝１である）、放射線遮蔽シート３０は、布帛等からなる基材１０と、基材１０の表面に設けられ、かつ金属粉２２が配合されてなる、放射線を遮蔽する効果をもつコーティング膜２０と、を有すると共に、基材１０およびコーティング膜２０が、第１、第２の中芯（９ａ、９ｂ）の山と谷が延びる方向と同じ方向（図１（Ａ）のＹ方向）に直線状に延びる山ひだと谷ひだが、図１（Ａ）のＹ方向（つまり、第１、第２の中芯（９ａ、９ｂ）の山と谷が延びる方向に直交する方向）に沿って交互に繰り返される、波形の断面形状を有している。
【０１０１】
また、図２、図３で説明した効果は、図５（Ａ）、（Ｂ）の例においても同様に得られる。例えば、放射線遮蔽段ボール２'の断面において、図５（Ａ）の箇所Ｆ（一点鎖線で囲んで示される箇所）および図５（Ｂ）の箇所Ｈ（一点鎖線で囲んで示される箇所）では、第１の中芯（中芯紙）９ａの谷ひだの頂部（底部）と放射線遮蔽シート構造物３１における山ひだの頂部とが重なっており、また、図５（Ａ）の箇所Ｇ（二点鎖線で囲んで示される箇所）および図５（Ｂ）の箇所Ｈ（二点鎖線で囲んで示される箇所）では、第２の中芯(中芯紙)９ｂの山の頂部と放射線遮蔽シート構造物３１における谷ひだの頂部（底部）とが重なっている。
【０１０２】
放射線遮蔽段ボール２'の断面において、中芯（中芯紙）９の谷の頂部（底部）と、放射線遮蔽シート構造物３１における山ひだの頂部とが、少なくとも局所的に重なり合うようにし（つまり、重なる箇所がある構造とし）、かつ、第２の中芯(中芯紙)９ｂの山の頂部と放射線遮蔽シート構造物３１における谷ひだの頂部（底部）とが、少なくとも局所的に重なり合うようにする（つまり、重なる箇所がある構造とする）ことで、放射線遮蔽段ボール２'の機械的強度を向上させることができ、また、変形や反りに対する耐性がより向上する。
【０１０３】
図６は、本考案の放射線遮蔽段ボール板の他の例（図５（Ａ）の放射線遮蔽ダンボールを用いた例）を示す斜視図である。放射線遮蔽段ボール板２１'は、図５（Ａ）に示される放射線遮蔽段ボール２'を板状に加工して得られるものである。
【０１０４】
図６において、図１〜図５と共通する部分には、同じ参照符号を付してある。以下の図面においても同様である。
【０１０５】
放射線遮蔽段ボール板２１'は、厚みＨ４が、例えば１５ｍｍに設定され、幅Ｈ２が、例えば１０００ｍｍに設定され、高さＨ３が、例えば１２００ｍｍに設定される。また、放射線遮蔽段ボール板２１の重さは、例えば１ｋｇ程度以下である。
【０１０６】
サイズ的にみても、また重量的にみても、一般の人が容易に取り扱うことができる。例えば、避難所となる学校の体育館等の壁に沿って放射線遮蔽段ボール板２１'を立てかけたり、家の窓の内側に放射線遮蔽段ボール板２１'を配置したりすることによって、外部から到来する放射線（特にガンマ線のコンプトン散乱線）を吸収、散乱して、その強度を効果的に低減することができる。
（第２の実施形態）
【０１０７】
図７は、図４または図６の放射線遮蔽段ボール板をガレージの内壁として利用して放射線防護シェルターを構築した例を示す図である。原子力発電所の緊急時において、地域住民や避難弱者を放射線から守るべく、本考案の放射線遮蔽段ボール板（２１、２１'）を利用し、簡易的な避難シェルターを構築するものである。ガレージ３３には充分なスペースがあるため、簡易的な避難シェルターとしても用いることができる。
【０１０８】
例えば、ガレージ３３内において、内壁に沿って枠１５を組み立てた後、枠１５に本考案にかかる放射線遮蔽段ボール板２１（または２１'）を嵌め込んで固定し、ガレージ３３の内壁を放射線段ボール板２１（または２１'）で覆って、簡易的な避難シェルターとしてのガレージ３を構築することができる。
【０１０９】
なお、既存のガレージ３３の内壁に、図１（Ａ）、（Ｂ）等で説明した放射線遮蔽シート３０を貼りつけることもできる。また、ガレージ３３の出入り口の上部に、ロールカーテン１９（ロール状の放射線遮蔽シート３０が巻かれてなる）を取り付け、適宜、出入り口を塞ぐようにしてもよい。また、ガレージ３３の窓２５の上部に、ロールカーテン２７（ロール状の放射線遮蔽シート３０が巻きつけられてなる）を取り付け、換気時をのぞいて、ガレージの窓２５を、引き出されたロールカーテンで覆うようにしてもよい。
（第３の実施形態）
【０１１０】
図８（Ａ）は放射線遮蔽段ボール箱の斜視図、図８（Ｂ）は放射線遮蔽段ボール箱を平面状に展開した放射線遮蔽段ボール箱展開材の正面図である。
【０１１１】
図８（Ａ）の放射線遮蔽段ボール箱４０は、図１〜図３、図５（Ａ）、（Ｂ）で説明した、本考案の放射線遮蔽段ボールを用いて構成される。放射線遮蔽段ボール箱４０は、例えば、図４の放射線遮蔽段ボール板２１と同様の構造をもつ複数枚の放射線遮蔽段ボール板を用意し、けい線入れや溝切りの加工を行い、各放射線遮蔽段ボール板を接着材により接着する等の加工を経て製造することができる。
【０１１２】
図８（Ａ）に示されるように、放射線遮蔽段ボール箱４０は、蓋部、側部および底部を備える。図中、ａ部分およびｄ部分は蓋部（上蓋）を構成し、ｂ部分およびｅ部分は側部を構成し、ｃ部分およびｆ部分は底部を構成する。
【０１１３】
図８（Ｂ）に示されるように、放射線遮蔽段ボール箱４０は、従来の紙の段ボール箱と同様に、平面状に展開することができる。図８（Ｂ）の放射線遮蔽段ボール箱展開材４１の状態で持ち運んだり保管したりし、必要に応じて、テープ等を用いて図８（Ａ）の放射線遮蔽段ボール箱４０を組み立てることができる。
【０１１４】
放射線遮蔽段ボール箱４０は、例えば、食料品や野菜等の保管用に用いることができ、この場合、放射線による食料品や野菜等の品質低下を抑制することができる。また、大きなサイズの放射線遮蔽段ボール箱４０は、側部や底部の一部に穴を開け、それを人に被せることで、簡易な放射線遮蔽シェルターとして利用することもできる。なお、放射線遮蔽段ボール箱の用途はこれに限定されるものではない。
（第４の実施形態）
【０１１５】
図９（Ａ）は放射線遮蔽段ボールシェルターの一例（トンネル状に湾曲した壁部を備える例）の斜視図、（Ｂ）は放射線遮蔽段ボールシェルターの他の例（空所または入退出口を備える箱状のもの）の斜視図である。図９（Ａ）の例では、２つの半円筒状の放射線遮蔽段ボールシェルター２００ａ、２００ｂを連結して使用している。
【０１１６】
図９（Ａ）において、放射線遮蔽段ボールシェルター２００ａ（２００ｂ）は、図１〜図３、図５（Ａ）、（Ｂ）の放射線遮蔽段ボールを用いて構成されると共に、トンネル状に湾曲した壁部（外壁）２１０を備え、内部に、人が収容される空間２２０が設けられている。また、必要に応じて、底板２３０を設けることもできる。底板２３０としては、クッション材や放射線遮蔽段ボール板を用いることができる。
【０１１７】
トンネル状に湾曲した壁部２１０は、工場出荷の段階でそのような外形を呈していてもよく、また、放射線遮蔽段ボール板を、現地で湾曲加工して使用することもできる。後者の場合、例えば、図９（Ｂ）に示されるような凹部を有する下枠を用意し、湾曲させた放射線遮蔽段ボール板の両側の端部を、下枠の凹部に嵌合させて固定する。
【０１１８】
図９（Ａ）のトンネル型の放射線遮蔽シェルターは、構造が簡単であり、組み立て性に優れ、また、複数を連結させることで、収容者数を容易に増やすこともできる。
【０１１９】
また、図９（Ｂ）において、放射線遮蔽段ボールシェルター２３６は、図１〜図３、図５（Ａ）、（Ｂ）の放射線遮蔽段ボールを用いて構成されると共に、天井部または屋根部（ｔ）と、少なくとも一ヵ所に空所または入退出口（２３７）が設けられている側部（側壁あるいは外壁ｐ〜ｓ）を有し、また、必要に応じて底部（ｕ）が設けられて、内部に、少なくとも一人の人が収容され得る空間が設けられている。
【０１２０】
最も簡単な構成の、箱型の放射線遮蔽段ボールシェルターである。大型サイズの放射線遮蔽段ボール箱を利用することもでき、利用し易いものと考えられる。
【０１２１】
一人用のシェルターの場合は、例えば、利用者の周囲にいる数人が、放射線遮蔽段ボールシェルター２３６を持ち上げ、その利用者に被せるようにして利用することもできる。もちろん、利用者自身が、空所または入退出口２３７から出入りしてもよい。
【０１２２】
また、空所または入退出口２３７は、外部と連通していてもよく、また、放射線遮蔽シート３０を内部から立て掛けたり、貼りつけたりすることもできる。
【０１２３】
空所または入退出口２３７の上部に、ロールカーテン（ロール状の放射線遮蔽シート３０が巻かれてなる）を取り付け、換気時を除いて、入退出口を塞ぐようにしてもよい。
（第５の実施形態）
【０１２４】
図１０は、放射線遮蔽段ボールシェルターの他の例（屋根と、少なくとも一ヵ所に入退出口が設けられている外壁とを有する個人用シェルターの例）を示す図である。
【０１２５】
図１０には、４棟の家タイプの放射線遮蔽段ボールシェルター２４０ａ〜２４０ｄが示されている。各シェルター２４０ａ〜２４０ｄは、図４または図６で示した放射線遮蔽段ボール板２１、２１'を、複数枚、相互に接続(固定)して構成することができる。
【０１２６】
各シェルター２４０ａ〜２４０ｄは、屋根部と、少なくとも一ヵ所に入退出口が設けられている側部（側壁または外壁）と、を有し、内部に人が収容される空間が設けられている。
【０１２７】
放射線遮蔽段ボールシェルター２４０ａを例にとると、この放射線遮蔽段ボールシェルター２４０ａは、屋根２４２と、前壁（外壁）２４４と、この前壁（外壁）２４４に設けられた入退出口２４６と、を有している。入退出口を、他の壁面（後壁等）に設けることもできる。
【０１２８】
入退出口２４６は、例えば、ドアタイプのもの（図２の放射線遮蔽段ボールからなるドアを蝶番（ヒンジ）やテープ止め等を用いて開閉自在に固定したもの）であってもよく、また、図７で示したように、空所の上部に放射線遮蔽シート３０を巻いてなるロールカーテンを設け、カーテンを適宜、引き出して空所を塞ぐタイプのものでもよく、また、遮蔽構造を設けるのがむずかしい場合等には、空所のみであってもよい。また、スライド式のドアを採用してもよい。
【０１２９】
シェルターの横幅Ｌ１（Ｌ２）は、例えば１０００ｍｍであり、奥行きＬ３（Ｌ４）は、例えば１０００ｍｍであり、高さＬ５は、例えば２０００ｍｍである。十分な高さが確保されていることから、人が、立ち姿勢のまま、入退出口２４６を介してシェルターの内部に入ることができ、また、人は、立ったままの姿勢でシェルター内に留まることもでき、座ることも可能である。
【０１３０】
これにより、ある程度の期間、滞在することも可能な放射線遮蔽段ボールシェルター（家型タイプのシェルター）を実現することができる。
（第６の実施形態）
【０１３１】
図１１（Ａ）は、放射線遮蔽段ボールシェルターの他の例（前壁が開閉可能であり、後壁の一部に、人が横になったときに足を外に出すことが可能な足出し口が設けられている個人シェルターの例）を示す図、図１１（Ｂ）は、図１１（Ａ）の放射線遮蔽段ボールシェルターにおいて使用される下枠の部分的斜視図である。
【０１３２】
図１１（Ａ）の放射線遮蔽段ボールシェルター３００は、図１〜図３、図５（Ａ）、（Ｂ）の、本考案の放射線遮蔽段ボールを用いて構成されると共に、前壁３０４と、後壁３０８と、左側壁３０５と、右側壁３０６と、天板（屋根板）３０２と、を有し、内部に、一人の人（Ｅ）が腰かけた状態にて収容され得る空間が設けられており、前壁３０４が開閉可能である。また、必要に応じて、後壁３０８の一部に、人が横になったときに足を外に出すことが可能な足出し口３０７が設けられる。
【０１３３】
前壁３０４、後壁３０８、左側壁３０５および右側壁３０６の固定には、図１１（Ｂ）に示される下枠３１２が用いられる。下枠３１２は、コ字状または四角形状の全体形状を有しており、また、前壁３０４、後壁３０８、左側壁３０５および右側壁３０６（放射線遮蔽段ボールで構成されている）の各厚みに対応する幅をもち、かつ所定深さである凹部（嵌合凹部）を有している。
【０１３４】
例えば、下枠３１２の底面を両面テープ等を用いて避難所（体育館等）の床に固定し、前壁３０４、後壁３０８、左側壁３０５および右側壁３０６の下端部を、下枠３１２の凹部に差し込んで、嵌合させて固定する。
【０１３５】
ここで、前壁３０４は、左側壁３０５にテープＴＡで接続されており、回動により開閉が可能である。
【０１３６】
また、前壁３０４には、窓（空所）３０１が設けられており、窓３０１には、例えば、図１〜図３、図５（Ａ）、（Ｂ）で説明した放射線遮蔽シート３０を窓に合うサイズにカットしてなるカーテン（薄い放射線遮蔽材ということもできる）３０３が設けられている。カーテン３０３の上部が、前壁３０４にテープＴＡにより貼りつけられており、カーテン３０３は、外側に向かって回動することで開閉が可能である。カーテン３０３を開状態とすることにより、窓３０１を介して、内部に居る人（Ｅ）を外側から確認できる。
【０１３７】
また、天板（屋根板）３０２も同様に、左側壁３０５にテープＴＡによって、回動可能に固定されており、開閉が可能である。例えば、物品の搬入の際に、天板（屋根板）３０２を開くことで、物品の円滑な搬入が可能となる。
【０１３８】
左側壁３０５および右側壁３０６は、上辺が短く、下辺が長い台形の形状をしており、このため、前壁３０４は、上側よりも下側の方が、より前方にせり出した状態で、傾斜して設けられている。このことは、必要な床面積を確保しつつ、全体をコンパクト化するのに役立つ。
【０１３９】
また、人（Ｅ）が腰かけている箱（ボックス）は、椅子としてだけでなく、トイレとしても利用することができる。シェルター３００内には、ＬＥＤランプ３１４、ペットボトルの飲料３１６、防災ラジオ３１８、食料品や放射線防護マスクが入った袋３２０が置かれている。
【０１４０】
図１１（Ａ）の例では、後壁３０８の下側の中央において、人（Ｅ）が横になったときに足を外に出すことが可能な足出し口（空所）３０７が設けられている。この足出し口（空所）３０７の外側に、例えば、図１〜図３、図５（Ａ）、（Ｂ）で説明した放射線遮蔽シート３０を足出し口３０７に合うサイズにカットしてなるカーテン（放射線遮蔽板ということもできる）３０９が設けられている。カーテン３０９の上部が、後壁３０８にテープＴＡにより貼りつけられており、カーテン３０９は、外側に向かって上下に回動し、これによって開閉が可能となっている。
【０１４１】
前壁３０４、後壁３０８、左側壁３０５、右側壁３０６の各々の下端部は、図９（Ｂ）に示される枠体３１２の凹部（断面がコ字状の部分）に、上側から挿入されて嵌合され、固定される。但し、枠体は一例であり、その他の固定具を用いてシェルターを固定してもよい。
【０１４２】
図１２は、図１１（Ａ）の放射線遮蔽ダンボ―ルシェルターに、足入れ用のシェルターを連結した構成を示す図である。
【０１４３】
足入れ用のシェルター４００（放射線遮蔽段ボールシェルター３００の背後に配置される補助シェルター）は、本考案の放射線遮蔽段ボールを用いて構成される、直方体の外形をもつ、高さの低い外壁４０１を備える。また、このシェルター４００は、放射線遮蔽段ボールシェルター３００における足出し口３０７に連通する足入れ口（空所）３１１を有し、外壁４０１は、足入れ口３０７から挿入された人の足（または腰を含む脚部）を覆い、人の足（または腰を含む脚部）を放射線から保護する。
【０１４４】
また、図１２において、放射線遮蔽段ボールシェルター３００の天板３０２の幅Ｌ５は、例えば１０００ｍｍであり、奥行きＬ６は、例えば９００ｍｍに設定される。また、放射線遮蔽段ボールシェルター３００の底部における幅Ｌ７は、例えば１０００ｍｍに設定され、奥行きＬ８は、例えば１３００ｍｍに設定される。
【０１４５】
また、足入れ用のシェルター（補助シェルター）４００の幅Ｌ１０は、例えば４００ｍｍに設定され、奥行きＬ１１は、例えば１０００ｍｍに設定され、高さＬ１２は、例えば３００ｍｍに設定される。
【０１４６】
図１３は、図１２に示される放射線遮蔽ダンボールシェルターの構成において、人が横になって利用する態様を示す図である。人（Ｆ）は、放射線遮蔽段ボールシェルター３００、４００を連結してなる構成の内部において、横になっている。人（Ｆ）の足（図１１では、腰を含む脚部）は、足出し口３０７および足入れ口３１１を介して、後方に配置されている放射線遮蔽段ボールシェルター４００の内部へと伸びている。
【０１４７】
このとき、足出し口３０７の外側に配置されている、カーテン（図１等に示される放射線遮蔽シート３０を用いて構成されるものであり、射線遮蔽板ともいえるものである）３０９は、上方に回動しており、足入れの妨げとならない。
【０１４８】
このように、個人用の放射線遮蔽段ボールシェルター３００は、コンパクトでありながら、人を放射線から防護し、また、個人のプライバシーも保護する。さらに、補助シェルター４００を連結（接続）することによって、人が横になるスペースも確保される。よって、人は、放射線から守られ、人の目も気にすることなく、安心して休憩したり、眠ったりすることができる。
【０１４９】
図１４は、図１１（Ａ）に示される個人用のシェルター（参照符号３００）を２つ連結させて使用する構成を示す図である。図１４に示されるように、個人用のシェルター３００ａ、３００ｂを、足出し口３０７ａ、３０７ｂが連通する（合わさる）ようにして連結させることで、人（Ｇ）が横になるスペースを確保することができる。
（第７の実施形態）
【０１５０】
本実施形態では、図１等に示される放射線遮蔽シート３０（および放射線遮蔽シート構造物３１）の形状や成分等について、詳細に説明する。
【０１５１】
図１５（Ａ）は、立体的断面を形成する前の放射線遮蔽シートを示す図である。放射線遮蔽シート３０は、基材１０と、基材１０の表面を覆うように設けられ、かつ金属粉２２が配合されてなる、放射線の遮蔽効果をもつコーティング膜２０と、を有している。コーティング膜２０は、塗布、吹き付け、含浸などで形成することができる。コーティング膜２０は、基材１０の表面を覆って密着固定されるのが好ましい。
【０１５２】
基材１０としては、編物、織物、不織布、紙のうちのいずれかで構成される布帛、またはフィルム、またはシートを用いることができ、金属粉２２としては、タングステン、バリウム、鉛、ビスマス、アンチモン、希土類金属、ホウ素、カドミウムから選ばれた少なくとも１種の単体、またはその合金、またはその化合物、または前記単体を他の材料で被覆したものの粉を用いることができ、また、コーティング膜２０の主材としては、樹脂膜、または、シロキサン結合をもつ、あるいはアルコキシ基をもつシラン系化合物膜を用いることができる。但し、例示であり、これらに限定されるものではない。なお、コーティング膜の主材としての樹脂膜の「樹脂」には、天然樹脂、合成樹脂の双方が含まれるが、特に、可塑性をもつ合成樹脂が好ましい。
【０１５３】
基材１０の材料を選ぶことによって、例えば、放射線遮蔽シートの厚み、柔軟性、コーティング膜２０との密着性等を調整することができる。また、金属粉２２の材料を選ぶことによって、放射線遮蔽効果や重量等を調整することができる。また、コーティング膜２０の主材を選ぶことによって、コーティング膜２０に撥水性を付与したり、基材１０との密着性を調整したり、金属粉２２の均一な分散を実現させたりすることができる。
【０１５４】
より具体的には、基材１０として、単位面積当たりの重さが１００ｇ／ｍ２以下のポリエステル繊維やガラス繊維等からなる布帛を用いることができる。
【０１５５】
また、ガンマ線のコンプトン散乱線を効果的に遮蔽することを考慮すると、金属粉２２として、金属タングステン粉を用いることができる。金属粉２２の粒径は３μｍ〜１０μｍ（より好ましくは３．５μｍ）程度が好ましく、単位面積あたりの重さが８００ｇ〜１１００ｇ／ｍ２（より好ましくは、８００ｇ〜９５０ｇ／ｍ２）となるように配合されるのがよい。
【０１５６】
なお、金属粉２２の配合重量の単位としてｇ／ｍ２を用いているが、これは、服地などは、サイズ（面積）がｍ２で表されることが多いことを考慮したものである。
【０１５７】
基材１０の厚みＴ１は例えば０．１ｍｍ以下、コーティング膜の厚みＴ２は例えば０．４ｍｍ以下に設定される。この場合、全体の厚みが０．５ｍｍ以下となり、ごく薄の、ある程度の柔軟性をもつ放射線遮蔽シート３０を構築できる。
【０１５８】
次に、図１５（Ｂ）を参照する。本考案では、図１５（Ａ）の平坦な形状のものは使用せず、図１５（Ｂ）のような、凹凸を有する立体的な断面形状のものを使用する。
【０１５９】
図１５（Ｂ）のものは、山ひだと谷ひだが交互に繰り返される波形断面を有し、山ひだ、谷ひだの頂部に対応する先端部が丸みを帯びており、本明細書では、このタイプを「プリーツ型」、あるいは単に「プリーツ」と称する。
【０１６０】
プリーツは、例えば、ポリエステルの基布（基材１０）に、金属タングステンが配合されたアルコキシシラン層（コーティング膜２０としてのシラン系化合物）を塗布し、重合させた後、熱を加えてローラで加圧処理をして、波形断面のプリーツひだを設けることで形成することができる。
【０１６１】
放射線遮蔽シート３０をｎ枚（ｎは１以上の自然数）積層する（重ね合わせる）ことで、放射線遮蔽シート構造物３１が形成される。後述するが、放射線シート構造物３１は、表地層と裏地層との間に挟まれて、各部材を貫通して進行する糸で縫製され、これによって放射線防護被服が作成される。
【０１６２】
図１５（Ｃ）に、放射線遮蔽シート３０を立体的な断面をもつ形状とすることの効果を示す。図１５（Ｃ）の左側に示されるように、放射線ＲＡ１が斜め上方から到来した場合、放射線遮蔽シート３０が図１５（Ａ）のように平坦であれば、放射線ＲＡ１が放射線遮蔽シート３０を通過する回数は１回であるが、図１５（Ｃ）のように立体的である場合には、例えば４回、通過することになる。図１５（Ｃ）では、通過点をＣ１〜Ｃ４で示している。
【０１６３】
この場合、図１５（Ｃ）の中央に示されるように、到来した放射線ＲＡ２ａは、放射線遮蔽シート３０を通過する毎に吸収、散乱される。よって、放射線遮蔽シート３０による相互作用を受けた放射線ＲＡ２ｂ、ＲＡ２ｃ、ＲＡ２ｄは順次、弱くなり、人体に与える影響が低減される。このように、放射線遮蔽シート３０は、例えば１枚であっても、立体的な断面形状を有する構造とすることで、到来する放射線が通過する回数を約４倍に増やすことができ、その分、放射線を遮蔽する効果を高めることができる。
【０１６４】
図１６は、図１５（Ｂ）に示される放射線遮蔽シート（プリーツ）の斜視図である。図示されるように、放射線遮蔽シート（プリーツ）３０は、Ｙ方向に直線状に延びる山ひだと谷ひだが、Ｙ方向に直交する方向であるＸ方向に沿って交互に繰り返されて波形の断面形状を有し、波形は、山ひだの頂部および谷ひだの頂部に相当する先端部分が丸みを帯びた波形となっている。
【０１６５】
次に、図１７（Ａ）、（Ｂ）を参照して、放射線遮蔽シート３０の積層の態様について説明する。例えば、放射線遮蔽シート３０を、２枚積層する場合（積層数ｎ＝２の場合）、原則的には、図１７（Ａ）のように、放射線遮蔽シート３０ａ（基材１０ａと、コーティング膜２０ａとで構成される）と、放射線遮蔽シート３０ｂ（基材１０ｂと、コーティング膜２０ｂとで構成される）と、を密着させて積層する。但し、これに限定されるものではなく、必要に応じて、図１７（Ｂ）のように、各放射線遮蔽シート３０ａ、３０ｂを立体的に積層することも可能である。図１７（Ｂ）の構造を採用する場合、必要に応じて、図中、一点鎖線で囲んで示されるａ部分を接着することもできる。
【０１６６】
積層数が増えるほど放射線遮蔽効果が向上し、一方で重量も増えることから、放射線遮蔽効果と重量との兼ね合いを考慮して積層数が決定される。放射線遮蔽シート３０の積層数ｎは、重量制限や厚みの制限等を考慮すると、現実には４以下が好ましい。
【０１６７】
図１７（Ａ）の構造は、厚みを薄くでき、また構造上の強度も高くすることができるという利点がある。一方、図１７（Ｂ）の構造の場合は、各放射線シート３０ａ、３０ｂとの間に空間を設けることができ、例えば、断熱性を高める効果を得られるという利点がある。
【０１６８】
次に、図１８を参照して、スモッキング型の放射線遮蔽シートについて説明する。このスモッキング型も、山と谷が交互に繰り返される波形状の断面形状を有し、例えば、図１８（ｉｉｉ）に示されるものは、山と谷が一方向（図１６のＹ方向）に沿って延びていることから、放射線遮蔽段ボールの機能性中芯紙として使用することができる。
【０１６９】
図１８の放射線遮蔽シート３０では、縮んだ、熱収縮性の糸が縫い込まれ、または、縮んだ、パターニングされた熱収縮性のフィルムが貼付され、かつ全体的に縮緬状の凹凸が形成されている。このようなタイプの放射線遮蔽シートを、本明細書では、「スモッキング型」、または「スモッキング」と称する。
【０１７０】
スモッキングは、表面に縮緬状の凹凸、つまり独特の縮緬模様が生じるため、あらゆる方向に伸縮する可能性が担保され、衣料のごわごわ感をより低減することができる。また、立体的構造であることには違いないため、図１５（Ｃ）で説明した、放射線遮蔽効果の向上効果も得られる。
【０１７１】
図１８の上側に示される参照符号６００は、縮緬模様が生じている領域を示す。（ｉ）に示す例では、縮緬模様は、ひも状の立体的な部分６０２、６０３等が複雑に入り組んだ模様を呈している。（ｉｉ）に、ひも状の立体的な部分６０３の拡大断面を示す。このようなちりめん模様は、例えば、放射線遮蔽シート３０に、熱収縮性の糸で刺繍を施し、加熱して糸を収縮させ、放射線遮蔽シート３０（基材１０およびコーティング膜２０）を縮れさせる、あるいは、パターニングされた熱収縮性のフィルムを熱で収縮させることで、形成することができる。放射線遮蔽シート３０は、図１８の上側に例示されるように、不規則な波が連なる立体的な形状となっている。
【０１７２】
また、（ｉｉｉ）の例では、放射線遮蔽シート３０に、網目状（格子状）に熱収縮性の糸（例えば、熱収縮率が異なる糸）が縫い込まれ、熱処理によって糸を収縮させることによって、例えば（ｉｖ）に示されるような、豆腐状の立体的部分６０４を生じさせることができる。なお、縮緬状の凹凸の態様は、これらに限定されない。（ｉｉ）、（ｉｖ）からも明らかなように、本考案におけるちりめん模様は、上面（平らな上面、または、やや丸みを帯びた平面に近い上面）をもつため、生地との接触面積を増やすことができ、構造的に安定であり、伸縮性や柔軟性に富む。よって、放射線遮蔽段ボールに適用した場合、例えば、より柔軟で曲がりやすい放射線遮蔽段ボールを得ることができる。
【０１７３】
（試作の一例）
【０１７４】
基材としてポリエステルの布帛を用い、金属粉として金属タングステン粉を用い、コーティング膜の主材として、シロキサン結合をもつシラン系化合物またはアルコキシ基をもつシラン系化合物を用いて射線遮蔽シートを作成した。
【０１７５】
金属タングステ粉は、基材であるポリエステル１ｍ２当たり９００〜１１００ｇになるように配合した。
【０１７６】
図１９（Ａ）に示される化合物は、Ｓｉ−Ｏ−Ｓｉ結合（シロキサン結合）およびＳｉ−Ｒ（但し、Ｒは、ＨまたはＣｎＨ２ｎ＋１）結合をもつシリコーン膜であり、立体的な構造を有する（この点は、図１９（Ｂ）、（Ｃ）の場合も同様である）。金属タングステン微粒子は、ポリマーの立体的な分子間隙に配合されて均一に分散され、放射線遮蔽効果を発揮する。
【０１７７】
図１９（Ａ）に示されるものは、１個のＳｉに２個のＯ−Ｒ結合（アルコキシ基）が結合され、かつそのＳｉに２個のＲが結合されている２官能アルコキシシラン膜（ポリマー）であり、図１９（Ｂ）に示されるものは、１個のＳｉに３個のＯ−Ｒ（アルコキシ基）が結合され、かつそのＳｉに１個のＲが結合されている３官能アルコキシシラン膜（ポリマー）である。
【０１７８】
図１９（Ａ）〜（Ｃ）のシラン系化合物は、構造に自由度が与えられるため、しなやかになり、また、表面にＲを形成することで撥水性を発揮させることができる。よって、放射線遮蔽シートに撥水性（防水性）を付与することができる。
【０１７９】
金属タングステン粉の粒径は３μｍ〜１０μｍが好ましい。金属タングステン微粒子は、例えば、アルコキシシランから構成されるポリマーの立体的な分子間隙に配合されて均一に分散され、膜の全体に放射線遮蔽のためのバリアが形成され、放射線遮蔽効果が向上する。
【０１８０】
なお、金属タングステンが配合されたアルコキシシラン膜等の、基材（ポリエステルの基布）に設ける方法はとしては、例えば、塗付、吹きかけを採用することができる。
【０１８１】
スモッキングを作成するために、ポリエステルの基材に、上記のアルコキシシラン膜（あるいは、アクリル樹脂と金属タングステンを混合したもの）を塗布し、熱収縮性糸を縫い込み、加熱して収縮させ、縮緬（ちりめん）加工を施した。
【０１８２】
また、プリーツを作成するために、ポリエステルの基材に、上記のアルコキシシラン膜を塗布し、重合させた後、熱を加えローラで加圧処理をし、長手方向にプリーツひだを形成させた。そうすることで全体的にプリーツ加工を施すことができた。
【０１８３】
放射線遮蔽シートは、金属タングステンを含んでいるためガンマ線およびエックス線の遮蔽効果を発揮し、特に、これらの散乱線に対しては、かなり高い遮蔽機能を得ることができた。
【０１８４】
（実験例）
【０１８５】
次に、図２０〜図２３を参照して、本考案において使用されている放射線遮蔽シート（放射線遮蔽シート構造物）の放射線遮蔽効果についての実験結果例を説明する。
【０１８６】
この実験は、国立研究開発法人量子科学技術研究開発機構、量子ビーム科学研究部門、高崎量子応用研究所にて行われた。放射線の直接線、散乱線の測定のための機器配置は、概ね図２３に示すようなものである。コバルト６０の線源３００を所定位置に配置し、線源の中心線（の延長線）に沿って７ｍ離れた位置に直接線測定器３１０を配置した。また、直接線測定器３１０から右に９０度曲折して直線的に２．８ｍ離れた位置に散乱線測定器３２０を配置した。
【０１８７】
図２０は、本考案で使用される放射線遮蔽シート（プリーツまたはスモッキング）の、ガンマ線の散乱線に対する遮蔽率の測定結果（線量計で測定）の一例を示す図である。線量計として富士電機製の線量計を使用した。線源から照射されるガンマ線のエネルギー量は５００ｋｅＶ以下になるように調整した。また、図２３の散乱線測定器３２０におけるガンマ線の強度が１ｍＧｙ（１ミリグレイ）となるようにして、２０分間にわたってガンマ線を放射線遮蔽シート（プリーツ、スモッキングの各々）に照射した。
【０１８８】
放射線遮蔽シートの枚数（積層数）ｎは１〜４であり、ｎ＝１のときは散乱線遮蔽率は９％、ｎ＝２のときは１８％、ｎ＝３のときは２５％、ｎ＝４のときは３０％という結果が得られた。この実験では、プリーツとスモッキングの差異は確認されなかった。
【０１８９】
図２１は、本考案で使用される放射線遮蔽シート（プリーツまたはスモッキング）の、ガンマ線の直接線に対する遮蔽率の測定結果（線量計で測定）の一例を示す図である。線量計として富士電機製の線量計を使用した。また、図２１の直接線測定器３１０におけるガンマ線の強度が１０ｍＧｙ（１０ミリグレイ）となるようにして、１５２秒にわたってガンマ線を放射線遮蔽シート（プリーツ、スモッキングの各々）に照射した。
【０１９０】
放射線遮蔽シートの枚数（積層数）ｎは１〜４であり、ｎ＝１のときは直接線遮蔽率は２％、ｎ＝２のときは１％、ｎ＝３のときは４％、ｎ＝４のときは５％という結果が得られた。この実験では、プリーツとスモッキングの差異は確認されなかった。
【０１９１】
図２２は、本考案で使用される放射線遮蔽シート（プリーツまたはスモッキング）の、放射線の遮蔽率の測定結果（ＮａＩシンチレーションスペクトルメータで測定）の一例を示す図である。
【０１９２】
ＮａＩシンチレーションスペクトルメータは、図２３における散乱線測定器３２０の位置に床置きで配置した。線源が強力であるため、可能な限り弱い放射線を照射するために、線源を上下（移動）させて条件だしを行っている。照射する放射線の強度が最小となるタイミングの直前の測定結果である。
【０１９３】
図２３の散乱線測定器３２０の位置における放射線強度が１．３ｍＧｙ（１．３ミリグレイ）となるように調整した。照射時間は、１秒（＋線源上下時間）である。
【０１９４】
バックグランドのカウント値は３７６７であり、照射後のカウント値（遮蔽無し）は１００６５５であり、放射線遮蔽シート（スモッキング、４枚重ね）による遮蔽後のカウント値は４２００４となり、遮蔽率は６０．５％となった。この実験では、プリーツとスモッキングの差異は確認されなかった。
【産業上の利用可能性】
【０１９５】
本考案は、原子力発電所が立地する地域の住民や避難弱者（幼児、子ども、婦人、老齢者、要介護者等）が利用可能な、段ボールを用いた放射線遮蔽技術として有用である。本考案によれば、例えば、日常の生活空間を利用して多重の放射線遮蔽障壁を容易に構築すること（例えば、放射線遮蔽段ボールを屋内の壁に設置して第１の障壁とし、さらに屋内に放射線遮蔽段ボールシェルターを設置して第２の障壁とする等）が可能となる。
【符号の説明】
【０１９６】
２、２'  放射線遮蔽段ボール
３、５  接着材
８、１２、１４  ライナー（平らな段ボール原紙）
９  中芯（中芯紙）
１０  基材
２０  コーティング膜
２２  金属粉
３０  放射線遮蔽シート
３１  放射線遮蔽シート構造物
２１、２１'  放射線遮蔽段ボール板
４０  放射線遮蔽段ボール箱
４１  放射線遮蔽段ボール箱展開材
２１０．２３６、２４０、３００  放射線遮蔽段ボールシェルター
【図１】
0003206557.tif 000003
【図２】
0003206557.tif 000004
【図３】
0003206557.tif 000005
【図４】
0003206557.tif 000006
【図５】
0003206557.tif 000007
【図６】
0003206557.tif 000008
【図７】
0003206557.tif 000009
【図８】
0003206557.tif 000010
【図９】
0003206557.tif 000011
【図１０】
0003206557.tif 000012
【図１１】
0003206557.tif 000013
【図１２】
0003206557.tif 000014
【図１３】
0003206557.tif 000015
【図１４】
0003206557.tif 000016
【図１５】
0003206557.tif 000017
【図１６】
0003206557.tif 000018
【図１７】
0003206557.tif 000019
【図１８】
0003206557.tif 000020
【図１９】
0003206557.tif 000021
【図２０】
0003206557.tif 000022
【図２１】
0003206557.tif 000023
【図２２】
0003206557.tif 000024
【図２３】
0003206557.tif 000025
【図２４】
0003206557.tif 000026
【図２５】
0003206557.tif 000027